(57)【要約】【課題】番組録画装置の置かれている地域で放送される番組を包括的に録画することを可能とし、且つ付随的に生じてしまう回路の複雑化、高価格化の問題点を軽減することが可能な番組録画装置を提供する。【解決手段】予め決められた固定チャンネルの番組を録画する固定チャンネル放送受信・記録ブロック（１）４〜同（ｍ）５と、任意の時間帯に、任意のチャンネルの番組を録画する可変チャンネル放送受信・記録ブロック（１）２〜同（ｎ）３と、視聴者が指示入力回路１２に入力する指示を受けて、これらを制御する制御回路１５とを有し、各ブロックを任意に必要な数だけ組み合わせて録画する機能を持たせる。【選択図】        図１
2004282413.tif 000002
【特許請求の範囲】
【請求項１】
受信した放送信号に含まれる番組を記録する番組録画装置において、
予め決められた固定チャンネルの番組データ及び所定の情報データを抽出する固定チャンネル放送受信回路と該番組データを格納する番組データ記録／再生部とを有する、１又は複数の固定チャンネル放送受信・記録ブロックと、
任意の時間帯に、任意のチャンネルの番組データ及び所定の情報データを抽出する可変チャンネル放送受信回路と該番組データを格納する番組データ記録／再生部とを有する、１又は複数の可変チャンネル放送受信・記録ブロックと、
前記各番組データ記録／再生部で再生された前記番組データを画像表示装置に出力する番組データ出力手段と、
前記情報データ中に含まれる前記番組データを記録するための制御情報を格納する制御情報記録回路と、
少なくとも、前記番組データを記録、再生するための視聴者の指示を入力するための指示入力回路と、
前記指示入力回路からの指示情報、及び前記制御情報に基づいて、前記固定チャンネル放送受信・記録ブロック及び可変チャンネル放送受信・記録ブロックを制御して所望の番組データを記録するよう制御する制御回路と
を有することを特徴とする番組録画装置。
【請求項２】
前記番組データ記録／再生部が、前記番組データの映像、音声信号を蓄積に適した所定のフォーマットに符号化するエンコーダ部と、符号化した記録データを蓄積し、再生する蓄積／再生部とを含むことを特徴とする請求項１記載の番組録画装置。
【請求項３】
前記制御情報記録回路が、予め決められた固定チャンネルを受信するためのチャンネルデータを格納する固定チャンネル選局情報部と、前記番組データに対するＥＰＧデータを格納するＥＰＧ情報部と、前記番組データを予約録画するためのＥＰＧデータを格納する番組予約情報部とを有し、
更に前記制御回路が、前記番組データに対するＥＰＧデータの選択及び生成を行なうＥＰＧデータ入力選択及び生成部と、前記固定チャンネル放送受信回路を制御するための固定チャンネル選局データ設定制御部及び固定チャンネル選局データ出力部と、前記可変チャンネル放送受信回路を制御するための可変チャンネル選局データ設定制御部及び可変チャンネル選局データ出力部と、前記制御情報記録回路及びＥＰＧデータ入力選択及び生成部からのＥＰＧ情報を処理するＥＰＧデータ制御部と、前記番組データ記録／再生部を制御する番組データ記録／再生部制御部と、前記番組データ記録の為に時刻を計時する時計部と、前記指示入力回路からの指示情報を解釈、処理する指示入力処理部とを有することを特徴とする請求項１記載の番組録画装置。
【請求項４】
１又は複数の前記固定チャンネル放送受信・記録ブロックと、１又は複数の前記可変チャンネル放送受信・記録ブロックとの各ブロックが、相互に且つ所定の数だけその機能を一方から他方へ変更できるようにしたことを特徴とする請求項１記載の番組録画装置。
【請求項５】
１又は複数の前記固定チャンネル放送受信・記録ブロックと、１又は複数の前記可変チャンネル放送受信・記録ブロックとの各ブロックが、任意の数だけ追加、または削除できるようにしたことを特徴とする請求項１記載の番組録画装置。
【請求項６】
前記制御回路が、更に前記ＥＰＧ情報を用いて各チャンネルの一覧リストを表示するチャンネル一覧リスト生成部を有し、該一覧リストの中から、前記固定チャンネル放送受信・記録ブロックを適用させるチャンネルと、前記可変チャンネル放送受信・記録ブロックを適用させ、番組を選択的に記録するためのチャンネルとが選択できるようにしたことを特徴とする請求項３に記載の番組録画装置。
【請求項７】
前記制御回路が、更に、前記番組予約情報部に格納される予約録画のためのＥＰＧデータと、前記固定チャンネル選局情報部に格納されている受信チャンネルに対応して前記ＥＰＧ情報部に格納されているＥＰＧデータとを比較し、番組予約録画設定を行う際に、各ＥＰＧデータ中に番組内容の重複するものが有ることを検知した場合、視聴者に注意を促すための警告情報を発生する警告情報発生部を有することを特徴とする請求項６記載の番組録画装置。
【請求項８】
前記各蓄積／再生部が、互いに集約した番組データ蓄積／再生部として配置されたことを特徴とする請求項２記載の番組録画装置。
【請求項９】
更に、有線あるいは無線の通信回線網を介し、少なくとも前記ＥＰＧデータを含む信号を受信可能な通信制御回路と、該通信回路網より得られる情報データから、ＥＰＧ情報を生成するＥＰＧデータ生成部とを備えた事を特徴とする請求項３に記載の番組録画装置。
【請求項１０】
前記制御回路が、更に、前記固定チャンネル放送受信回路で検出される前記番組データの有無を検出するテレビ信号検知部を有し、該番組データが検出されない場合、該固定チャンネル放送受信回路に対応する番組データ記録／再生部での記録動作を中断することを特徴とする請求項１記載の番組録画装置。
【発明の詳細な説明】
【０００１】
【発明の属する技術分野】
本発明は、テレビジョン信号等を記録再生する番組録画装置に関し、特に、番組予約録画機能を持つ番組録画装置に関する。
【０００２】
従来、この種の発明として、録画再生装置内のハードディスクにパーティションを切って２つの記録領域を形成し、一方のユーザー領域を、ユーザーが保存しておきたい番組を録画する領域とし、他方のバッファリング領域を、選択されている放送局で放送されている番組を連続的に録画する領域とし、バッファリング領域の断片化を防止することを狙ったものがある。（例えば、特許文献１参照）。
【０００３】
【特許文献１】
特開２００２−２０９１６８号公報（第１頁、図１）
【０００４】
【発明が解決しようとする課題】
視聴者が、一般的な番組予約録画装置で予約録画を実施する場合、新聞等の番組欄から所望の番組を見つけ出して予約録画するか、又は、画像表示装置の画面上に出力させた電子番組ガイド（以下ＥＰＧ：Ｅｌｅｃｔｒｏｎｉｃ  Ｐｒｏｇｒａｍ  Ｇｕｉｄｅ）のような情報データに現れる番組表の中から所望の番組を選択して予約録画を実施している。しかしながら、視聴者が嗜好する全ての番組をＥＰＧデータ中から検索する処理は難しいため、視聴者にとって既知の番組を予約録画する場合が多かった。
【０００５】
一般的に、視聴者がテレビ番組を予約録画して視聴したいと思うのには、以下のような、録画理由が考えられる。
（１）視聴者が番組の扱うテーマや内容、出演者等に興味を持っており、番組を視聴、及び録画保存したい。
（２）放送の時間帯の特殊性、視聴者の都合、他の興味ある番組の放送時間との重なり等により、本来の放送時間に視聴が困難である。
（３）今話題になっている番組の前回分が見たい。
（４）録画予約を忘れた番組を見たい。
【０００６】
以上の項目のうち、録画理由（１）、（２）については、視聴者の嗜好、興味に起因する視聴要求が基本となっているため、視聴者にとって既知のものであることが多く、先に説明した従来の録画の手法によっても対応可能である。しかしながら、潜在的に存在すると思われる上記録画理由（３）、（４）については、上記の録画方法だけでは十分な使い勝手の改善が図れず、これ等に対しても録画装置が対応出来れば、更に有用な機能となり得る。
【０００７】
本発明は、上記の問題を解決するためになされたものであって、番組録画装置の置かれている地域で放送される番組を包括的に録画することを可能として前記録画理由（１）〜（４）に記載の視聴者の番組視聴要求項目を満足すると共に、付随的に生じてしまう回路の複雑化、高価格化の問題点を軽減することが可能な番組録画装置の提供を目的とするものである。
【０００８】
【課題を解決するための手段】
本発明による番組録画装置は、受信した放送信号に含まれる番組を記録する番組録画装置において、
予め決められた固定チャンネルの番組データ及び所定の情報データを抽出する固定チャンネル放送受信回路と該番組データを格納する番組データ記録／再生部とを有する、１又は複数の固定チャンネル放送受信・記録ブロックと、任意の時間帯に、任意のチャンネルの番組データ及び所定の情報データを抽出する可変チャンネル放送受信回路と該番組データを格納する番組データ記録／再生部とを有する、１又は複数の可変チャンネル放送受信・記録ブロックと、前記各番組データ記録／再生部で再生された前記番組データを画像表示装置に出力する番組データ出力手段と、前記情報データ中に含まれる前記番組データを記録するための制御情報を格納する制御情報記録回路と、少なくとも、前記番組データを記録、再生するための視聴者の指示を入力するための指示入力回路と、前記指示入力回路からの指示情報、及び前記制御情報に基づいて、前記固定チャンネル放送受信・記録ブロック及び可変チャンネル放送受信・記録ブロックを制御して所望の番組データを記録するよう制御する制御回路とを有することを特徴とする。
【０００９】
【発明の実施の形態】
実施の形態１．
図１は、本発明による実施の形態１の番組録画装置１の構成を示すブロック図であり、図２は、図１に示す番組録画装置１の指示入力回路１２、制御回路１３、制御情報記録回路１５、及び番組データ記録／再生部（ｎ）３ｃの各内部構成を示すブロック図である。
【００１０】
以下に記述する固定チャンネル放送受信・記録ブロックとは、予め設定された特定のチャンネルを常時録画し続ける機能を持つブロックと定義する。また、可変チャンネル放送受信・記録ブロックとは、番組予約録画の形態を採って動作し、予め設定されるチャンネル、録画開始時刻、録画終了時刻の情報に基づき複数のチャンネルに亘って単発的な録画を繰り返すことにより、上記固定チャンネル放送受信・記録ブロックでの録画を補足する機能を持つブロックとして定義する。
【００１１】
図１中、番組録画装置１には、可変チャンネル放送受信・記録ブロック（１）２から可変チャンネル放送受信・記録ブロック（ｎ）３までのｎ個の可変チャンネル放送受信・記録ブロックが配列されている。その数ｎ（任意の正の整数値）は、視聴者が設定する事が出来る。各可変チャンネル放送受信・記録ブロック（１）２〜（ｎ）３は、後述するように、個々に独立して制御されて動作するが、構成的には同一のため、可変チャンネル放送受信・記録ブロック（ｎ）３を代表例にして、その内部構成を説明する。
【００１２】
アンテナ（ｎ）３ａは、図示しない放送局から送信された放送信号、例えばアナログ／デジタル形式の地上波、ＣＡＴＶ放送、衛星放送等を受信するためのものである。可変チャンネル放送受信回路（ｎ）３ｂは、アンテナ（ｎ）３ａによって受信した放送信号の中から所定の番組データ及び所定の情報データを抽出する。例えばアナログ放送受信の場合、アンテナ（ｎ）３ａから入力する変調された映像・音声信号を検波及び復調してベースバンド信号に変換する映像・音声検波デコーダに相当する。更に可変チャンネル放送受信回路（ｎ）３ｂは、映像／音声のベースバンド信号を生成する際に、映像信号の垂直帰線期間に重畳されて送られてくるものを分離して抽出されるＥＰＧ情報データを、後述する制御回路１３に出力する。
【００１３】
番組データ記録／再生部（ｎ）３ｃは、可変チャンネル放送受信回路（ｎ）３ｂで抽出された番組データを格納する。例えば、可変チャンネル放送受信回路（ｎ）３ｂでデコードされたベースバンド信号を記録する際には、記録に適したＭＰＥＧ−２等のデジタル信号にエンコードしてから格納し、再生する際には、格納されたデジタル信号を再びデコードして出力する。
【００１４】
尚、以上の構成は、デジタル放送を受信する場合も同様であるが、その場合はベースバンド信号への変換のためのデコーダブロックが省略され、アンテナ（ｎ）３ａから入力する変調された映像・音声信号は、検波後、直接番組データ記録／再生部（ｎ）３ｃへ入力される。更にこの場合、番組データ記録／再生部（ｎ）３ｃにおいては、例えば記録に適したＭＰＥＧ−２等のデジタル信号にエンコードする処理も省略される。
【００１５】
また、番組録画装置１には、固定チャンネル放送受信・記録ブロック（１）４から固定チャンネル放送受信・記録ブロック（ｍ）５までのｍ個の固定チャンネル放送受信・記録ブロックが配列されている。その数ｍ（任意の正の整数値）は、視聴者が設定する事が出来る。各固定チャンネル放送受信・記録ブロック（１）４〜（ｍ）５は、後述するように、個々に独立して制御されて動作するが、構成的には同一のため、固定チャンネル放送受信・記録ブロック（ｍ）５を代表例にして、その内部構成を説明する。
【００１６】
アンテナ（ｍ）５ａは、図示しない放送局から送信された放送信号、例えばアナログ／デジタル形式の地上波、ＣＡＴＶ放送、衛星放送等を受信するためのものである。固定チャンネル放送受信回路（ｍ）５ｂは、アンテナ（ｍ）５ａによって受信した放送信号の中から所定の番組データ及び所定の情報データを抽出する。例えばアナログ放送受信の場合、アンテナ（ｍ）５ａから入力する変調された映像・音声信号を検波及び復調してベースバンド信号に変換する映像・音声検波デコーダに相当する。更に固定チャンネル放送受信回路（ｍ）５ｂは、映像／音声のベースバンド信号を生成する際に、映像信号の垂直帰線期間に重畳されて送られてくるものを分離して抽出されるＥＰＧ情報データを、後述する制御回路１３に出力する。
【００１７】
番組データ記録／再生部（ｍ）５ｃは、固定チャンネル放送受信回路（ｍ）５ｂで抽出された番組データを格納する。例えば、固定チャンネル放送受信回路（ｍ）５ｂでデコードされたベースバンド信号を記録する際には、記録に適したＭＰＥＧ−２等のデジタル信号にエンコードしてから格納し、再生する際には、格納されたデジタル信号を再びデコードして出力する。
【００１８】
尚、以上の構成は、デジタル放送を受信する場合も同様であるが、その場合はベースバンド信号への変換のためのデコーダブロックが省略され、アンテナ（ｍ）５ａから入力する変調された映像・音声信号は、検波後、直接番組データ記録／再生部（ｍ）５ｃへ入力される。更にこの場合、番組データ記録／再生部（ｍ）５ｃにおいては、例えば記録に適したＭＰＥＧ−２等のデジタル信号にエンコードする処理も省略される。
【００１９】
番組データ出力手段に相当する映像・音声ストリーム出力装置１１は、各可変チャンネル放送受信・記録ブロック（１）２〜同（ｎ）３、及び固定チャンネル放送受信・記録ブロック（１）４〜同（ｍ）５の出力ポートとデータバス９で接続され、ＭＰＥＧ−２等のデジタル・トランスポートストリーム信号で出力され、必要に応じて暗号化処理が施されたり、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等のフォーマットに変換される処理が行われる。
【００２０】
図２（ａ）は、番組録画装置１の指示入力回路１２、制御回路１３及び制御情報記録回路１５の内部構成を示すブロック図である。
【００２１】
同図に示す制御回路１３は、後述する指示入力回路１２及び制御情報記録回路１５と共同して前述の各チャンネル放送受信・記録ブロック（１）２〜同（ｍ）５を制御し、番組録画装置１が置かれている地域で放送されている番組を幅広く録画する機能を実施させるための回路である。
【００２２】
この制御回路１３において、可変チャンネル選局データ出力部（１）２１ａ〜同（ｎ）２２ａは、各々図１に示す可変チャンネル放送受信回路（１）２ｂから可変チャンネル放送受信回路（ｎ）３ｂを制御して、所定の録画予約されたチャンネルを受信し、番組データ及び情報データを抽出するための選局データを出力する。同様に、固定チャンネル選局データ出力部（１）２３ａ〜同（ｎ）２４ａは、各々前記固定チャンネル放送受信回路（１）４ｂから固定チャンネル放送受信回路（ｍ）５ｂを制御して、所定のチャンネルを常時受信し、番組データ及び情報データを抽出するための選局データを出力する。
【００２３】
また、ＥＰＧデータ入力選択及び生成部２６は、前記各可変及び固定チャンネル放送受信回路（１）２ｂ〜同（ｍ）５ｂからの番組データ、情報データのうち、映像信号の垂直帰線期間等を用いて送られるＥＰＧデータの含まれるチャンネルを選択し、その抽出、生成を行う部分である。
【００２４】
制御回路１３において、指示入力処理部３１は、前記各可変及び固定チャンネル放送受信・記録ブロック（１）２〜同（ｍ）５による番組録画処理について、後述する指示入力回路１２からの視聴者の指令を受け付けて、制御回路内の制御を行うための処理部分である。時計部３２は、後述するように、少なくとも前記各可変チャンネル放送受信・記録ブロック（１）２〜同（ｎ）３を用いて複数チャンネルに亘り補足的に予約録画を行う場合、現在時刻とＥＰＧデータにおける放送開始時刻と終了時刻とを計測し、録画処理を行う場合に用いるものである。
【００２５】
番組データ記録／再生部制御部３３は、少なくとも前記指示入力処理部３１からの指令及び設定に基づき、または後述する各テレビ信号検知部（１）２１ｂ〜同（ｍ）２４ｂの検出結果により、それに対応する各番組データ記録／再生部（１）２ｃ〜同（ｍ）５ｃの制御を行う部分である。
【００２６】
更に制御回路１３において、可変チャンネル選局データ設定制御部３５は、前記各可変チャンネル選局データ出力部（１）２１ａ〜同（ｎ）２２ａを介して、前記各可変チャンネル放送受信回路（１）２ｂ〜同（ｎ）３ｂを制御する部分である。固定チャンネル選局データ設定制御部３６は、同様にして前記各固定チャンネル選局データ出力部（１）２３ａ〜同（ｍ）２４ａを介して、前記各固定チャンネル放送受信回路（１）４ｂ〜同（ｍ）５ｂを制御する部分である。ＥＰＧデータ制御部３７は、前記ＥＰＧデータ入力選択及び生成部２６で生成されたＥＰＧデータを、後述するＥＰＧ情報部１５ｃに蓄え、またそれより読み出す制御を行う部分である。
【００２７】
制御情報記録回路１５は、制御回路１３が、各可変及び固定チャンネル放送受信・記録ブロック（１）２〜同（ｍ）５に指示して行う番組データを記録する番組録画動作のための為の情報を記録する回路である。
【００２８】
制御情報記録回路１５において、固定チャンネル選局情報部１５ａは、前記固定チャンネル選局データ設定制御部３６が前記各固定チャンネル選局データ出力部（１）２３ａ〜同（ｍ）２４ａを介して、前記各固定チャンネル放送受信回路（１）４ｂ〜同（ｍ）５ｂを制御する為のチャンネルデータを記録しておく部分である。番組予約情報部１５ｂは、可変チャンネル選局データ設定制御部３５が、前記各可変チャンネル選局データ出力部（１）２１ａ〜同（ｎ）２２ａを介して、前記各可変チャンネル放送受信回路（１）２ｂ〜同（ｎ）３ｂを制御し、視聴者が所望する番組の予約録画を行う為のＥＰＧデータを保管しておく部分である。
【００２９】
ＥＰＧ情報部１５ｃは、ＥＰＧデータ入力選択及び生成部２６が取得、生成したＥＰＧデータを保存する部分であり、前記各番組データ記録／再生部（１）２ｃ〜同（ｍ）５ｃに保存されている番組内容に対応するＥＰＧデータと、今後放送される予定の各チャンネルのＥＰＧデータが記録されている。
【００３０】
指示入力回路１２は、視聴者が本番組録画装置１に対して行なう設定、及び操作指令の各入力を行うための入力回路である。
この指示入力回路１２において、コントロールパネル１２ａは、本番組録画装置１にあって視聴者の操作入力を受け付けるキーボード、コントロール・スイッチ等の入力回路であり、リモコン信号入力装置１２ｂは、本番組録画装置１にあって、視聴者が操作する赤外線方式等によるリモートコントロール装置（図示せず）からの信号を受信する回路である。
【００３１】
図２（ｂ）は、番組データ記録／再生部（ｎ）３ｃの内部構成を示すブロック図である。図１に示す各番組データ記録／再生部（１）２ｃ〜同（ｍ）５ｃは、個々に独立して動作するものであるが、構成的には同一のため、番組データ記録／再生部（ｎ）３ｃを代表例にして、その内部構成を説明する。
【００３２】
番組データ記録／再生部（ｎ）３ｃは、アナログ映像・音声信号を例えば記録に適したＭＰＥＧ−２等のデジタル信号に符号化するエンコーダ部（ｎ）７と、それを蓄積し、また再生する蓄積／再生部（ｎ）８より構成される。具体的には、蓄積／再生部（ｎ）８としてハードディスクレコーダやＤＶＤ（Ｄｉｇｉｔａｌ  Ｖｅｒｓａｔｉｌｅ  Ｄｉｓｋ）等が用いられる。
【００３３】
本番組録画装置１の出力部である映像・音声ストリーム出力装置１１に接続される映像・音声ストリーム出力インターフェース（以下、Ｉ／Ｆ）１７は、Ｅｔｈｅｒｎｅｔ（登録商標）やＩＥＥＥ８０２．１１等の規格に基づく機器への接続端子を想定している。またアクセス・ポイント１８は、映像・音声ストリーム出力Ｉ／Ｆ１７に接続し、親機としてＬＡＮに接続される子機とのブリッジ機能を持つものである。
【００３４】
ここで、前記ｎ個の可変チャンネル放送受信・記録ブロック（１）２〜同（ｎ）３、及び可変チャンネル選局データ出力部（１）２１ａ〜同（ｎ）２２ａと、前記ｍ個の固定チャンネル放送受信・記録ブロック（１）４〜同（ｍ）５、及び固定チャンネル選局データ出力部（１）２３ａ〜同（ｍ）２４ａは、任意の正の整数値として設定できる。
【００３５】
以上の構成において、本実施の形態の番組録画装置１は、下記の各項目（ａ）〜（ｃ）に明記された基本動作を実行するべく、制御回路１３からの指令に基づいて記録動作を実行するものである。
【００３６】
（ａ）まず、主要キー局の放送は、前記各固定チャンネル放送受信・記録ブロック（１）４〜同（ｍ）５を用いて常時記録する。ここに前記固定チャンネル放送受信・記録ブロックは、予め設定された特定のチャンネルを常時録画し続ける機能を持つブロックである。
【００３７】
（ｂ）ローカル局の放送には、基本的に主要キー局からの番組をそのまま放送するものと、ローカル局が独自に番組を制作しているものとが有り、上記項目（ａ）の動作に基づいて記録する番組と重複しているものが有る。従って、ローカル局の独自番組については、前記可変チャンネル放送受信・記録ブロック（１）２〜同（ｎ）３を用いて、複数チャンネルに亘り補足的に予約録画する形で記録する。ここに前記可変チャンネル放送受信・記録ブロックは、番組予約録画の形態を採って動作し、予め設定されるチャンネル、録画開始時刻、録画終了時刻の情報に基づき複数のチャンネルに亘って単発的な録画を繰り返すことにより、前記固定チャンネル放送受信・記録ブロック（１）４〜同（ｍ）５での録画を補足する機能を持つブロックである。
【００３８】
（ｃ）視聴者にとって視聴したい番組を最も多く取得できるように設定する場合の原則は上記項目（ａ）、（ｂ）であるが、キー局とローカル局の数は地域によって異なる。また、視聴者の嗜好傾向もある為、全てのキー局を上記項目（ａ）の動作で記録するように設定しないで、項目（ｂ）の記録動作で対応しても良い場合がある。従って、前記固定チャンネル放送受信・記録ブロック（１）４〜同（ｍ）５の設定と前記可変チャンネル放送受信・記録ブロック（１）２〜同（ｎ）３の設定は相互に変更できるようにするか、または追加、削除できるようにする。
【００３９】
上記項目（ｃ）に述べたように、本実施の形態よる番組録画装置１は、一旦可変チャンネル放送受信・記録ブロックまたは、固定チャンネル放送受信・記録ブロックとして設定しても、その後視聴者が所望するように、任意に且つ相互に設定変更が出来、または追加、削除が出来るものである。この可変チャンネル放送受信・記録ブロックと固定チャンネル放送受信・記録ブロックの切り替え、及び、各ブロックが記録する内容の設定は、ユーザーによって、指示入力回路１２を介して行なうものとする。
【００４０】
従って、便宜性を増加させる為に、前記各可変チャンネル選局データ出力部（１）２１ａ〜同（ｎ）２２ａ及び固定チャンネル選局データ出力部（１）２３ａ〜同（ｍ）２４ａは、単一で共通の機能ブロックとして構成し、前記各可変チャンネル放送受信回路（１）２ｂ〜同（ｎ）５ｂ及び固定チャンネル放送受信回路（１）３ｂ〜同（ｍ）５ｂにそれぞれアドレスを設定し、それらに対して共通バスラインを配して制御するように構成しても良い。
【００４１】
以上のように、実施の形態１の番組録画装置１によれば、常時記録する為の固定チャンネル放送受信・記録ブロックと複数チャンネルに亘り補足的に予約録画する形態で記録する為の可変チャンネル放送受信・記録ブロックを用いて、本番組録画装置が置かれている地域で放送されている番組を包括的に録画することが可能となる。従って、前記視聴者の番組視聴要求（１）〜（４）を満足する番組録画装置を提供できる外に、
・固定チャンネル放送受信・記録ブロックで主要放送局の放送を常時録画し、並行して、可変チャンネル放送受信・記録ブロックで残る放送局の番組を複数チャンネルに亘り補足的に予約録画出来るようにした。
・可変チャンネル放送受信・記録ブロックと固定チャンネル放送受信・記録ブロックを任意に、交互に設定変更でき、且つ増減できるようにした。
これ等によって、上記番組視聴要求（１）〜（４）に対する対応で付随的に生じてしまう回路の複雑化、高価格化の問題点を軽減することが可能となる。
【００４２】
実施の形態２．
図３は、本発明による実施の形態２の番組録画装置５１の構成を示すブロック図であり、図４は、図１に示す番組録画装置５１の指示入力回路１２、制御回路５２、制御情報記録回路１５、及び番組データ記録／再生部３ｃの内部構成を示すブロック図である。
【００４３】
尚、実施の形態２の番組録画装置５１では、前記実施の形態１の番組録画装置１で達成した上記基本動作（ａ）〜（ｃ）に加え、下記の（ｄ）〜（ｆ）の基本動作を達成する。
（ｄ）上記（ｃ）の設定を実行する際に、ＥＰＧデータを用いて放送されているチャンネル一覧リストを視聴者に示し、よりその設定作業を簡便化させる。
（ｅ）上記（ｂ）における前記可変チャンネル放送受信・記録ブロック（１）２〜同（ｎ）３を用いて、複数チャンネルに亘る補足的な予約録画を設定する場合、前記したようにローカル局の番組構成の故に、（ａ）に述べた前記固定チャンネル放送受信・記録ブロック（１）４〜同（ｍ）５で録画する番組と重複する場合が有るので、その比較、選別処理を速やかに実行できるようにする。
（ｆ）固定チャンネルを常時記録する場合、番組データ記録／再生部（１）４ｃ〜同（ｍ）５ｃ、又は後述する番組データ蓄積部／再生部５５をより有効に扱う為に録画するチャンネルが無信号状態である場合、その録画を中止する処置を行い、記録領域の節減を図る。
【００４４】
本実施の形態の番組録画装置５１が、前記した実施の形態１の番組録画装置１と主に異なる点は、番組データ蓄積／再生部５５、（映像・音声デコーダ＋映像・音声出力）装置５６、及び通信制御回路５３が追加された点と、制御回路５２の内部構成及び動作に関する点である。従って、この番組録画装置５１が前記した実施の形態１の番組録画装置１と共通する部分には同符号を付して説明を省略し、異なる特徴的な点を重点的に説明する。
【００４５】
図３に示す番組録画装置５１において、番組データ蓄積／再生部５５は、各番組データ記録／再生部（１）２ｃ〜同（ｍ）５ｃにある蓄積／再生部８（図４（ｂ））を統合的に集約して設置したものであり、この統合によって回路の合理化を図ることが出来る。但し、便宜上、番組データ蓄積／再生部５５にある個々の蓄積／再生部８は、それぞれの番組データ記録／再生部（１）２ｃ〜同（ｍ）５ｃに属するものとする。
【００４６】
通信回路網５４は、例えば、インターネット等の公衆通信回路網である。通信制御回路５３は、有線或いは無線の通信回路網５４を介し、制御回路５２との間で信号の送受信を制御する回路であり、例えば、モデム等により通信回線網５４等に設けられたＥＰＧ情報のサイトから少なくともＥＰＧデータを受信（取得）するものである。
【００４７】
（映像・音声デコーダ＋映像・音声出力）装置５６は、本番組録画装置５１が、実施の形態１の番組録画装置１に加えて、映像・音声のデコードとその出力機能も備えたセットトップボックスの形態をとるべく装置内に装備されている。テレビ（モニター）５７は、番組録画装置５１から出力される映像・音声情報を入力してそれぞれ映像化及び音声化する。信号ライン５８は、少なくとも制御回路５２内の後述するチャンネル一覧リスト生成部６２（図４）より出力されるＥＰＧのデータ等を（映像・音声デコーダ＋映像・音声出力）装置５６に伝達し、映像信号に重畳させる事を目的とした信号ラインである。この場合（映像・音声デコーダ＋映像・音声出力）装置５６と映像・音声ストリーム出力装置とが番組データ出力手段に相当する。
【００４８】
図４に示すように制御回路５２において、テレビ信号検知部（１）２１ｂ〜同（ｎ）２２ｂは、各々可変チャンネル放送受信回路（１）２ｂ〜同（ｎ）３ｂの番組データの有無に関する検知結果を取得し、テレビ信号検知部（１）２３ｂ〜同（ｍ）２４ｂは、各々固定チャンネル放送受信回路（１）４ｂ〜同（ｍ）５ｂの番組データの有無に関する検知結果を取得する。これにより、前記各固定チャンネル放送受信・記録ブロック（１）４〜同（ｍ）５での常時録画は、その放送信号の終了、または中断の検知により中断され、番組データ蓄積／再生部５５に集約された蓄積／生部８（図４（ｂ））の記録領域の節減を図る事が出来る。
【００４９】
尚、これら各テレビ信号検知部（１）２１ｂ〜同（ｍ）２４ｂは、実施の形態１の構成例の説明で述べた各可変チャンネル選局データ出力部（１）２１ａ〜同（ｎ）２２ａ及び固定チャンネル選局データ出力部（１）２３ａ〜同（ｍ）２４ａの場合と同様に、単一で共通の機能ブロックとして構成し、前記各可変チャンネル放送受信回路（１）２ｂ〜同（ｎ）５ｂ及び固定チャンネル放送受信回路（１）３ｂ〜同（ｍ）５ｂにそれぞれアドレスを設定し、それらに対して共通バスラインを配して番組データの有無に関する検知情報を取得するように構成しても良い。
【００５０】
ＥＰＧデータ生成部６１は、通信制御回路５３を介して通信回線網５４（図３）より取得されるＥＰＧデータの生成部である。通信回路網５４より得られるデータから、前記各可変チャンネル放送受信回路（１）２ｂ〜同（ｎ）３ｂ及び固定チャンネル放送受信回路（１）４ｂ〜同（ｍ）５ｂから抽出された情報データ中の番組データに対するＥＰＧデータと、同等もしくはそれ以上のＥＰＧ情報を生成する。
【００５１】
チャンネル一覧リスト生成部６２は、前記制御情報記録回路１５内の、ＥＰＧ情報部１５ｃに蓄積されたＥＰＧデータ、番組予約情報部１５ｂに保存されている前記各可変チャンネル放送受信・記録ブロック（１）２〜同（ｎ）３が録画するために必要な設定データ、及び固定チャンネル選局情報部１５ａに蓄えられている前記各固定チャンネル放送受信・記録ブロック（１）４〜同（ｍ）５が常時録画するための設定チャンネルデータを用いて、各固定チャンネル放送受信・記録ブロック（１）４〜同（ｍ）５の設定と前記各可変チャンネル放送受信・記録ブロック（１）２〜同（ｎ）３の設定および確認を容易にする為の一覧表を生成するものである。
【００５２】
警告情報発生部６３は、前記各可変チャンネル放送受信・記録ブロック（１）２〜同（ｎ）３を用いて録画しようとして選択された番組のＥＰＧデータが、前記固定チャンネル選局情報部１５ａに蓄えられているチャンネルデータに基づくＥＰＧ情報部１５ｃのＥＰＧデータと一致しているかを確認し、一致している場合は重複しているものとして警告情報を発生する機能を持つ部分である。これは例えば前記信号ライン５８（図３）を経由して前記テレビ（モニター）５７に伝達され、視聴者の認識する所となり取捨選択が行われる。
【００５３】
図５及び図６は、本実施の形態２の番組録画装置５１において、前記固定チャンネル放送受信・記録ブロック（１）４〜同（ｍ）５と前記可変チャンネル放送受信・記録ブロック（１）２〜同（ｎ）３の受信設定及び確認を行なうためにテレビ（モニター）５７に表示される録画設定一覧表の一例を示している。
【００５４】
これらの一覧表の生成時においては、予めＥＰＧデータ入力選択及び生成部２６、或いは前記ＥＰＧデータ生成部６１によって生成されたＥＰＧデータが、ＥＰＧデータ制御部３７によってＥＰＧ情報部１５ｃに保存されているものとする。
【００５５】
図５に示す画面表示１００では、表示された録画設定一覧表において、放送局名１０４の欄には、ＥＰＧ情報部１５ｃ（図４）に蓄えられているＥＰＧデータから抽出され、番組録画装置５１が設置されている地域で放送されている全ての放送局が表示される。チャンネル１０３の欄には、各放送局に対応したチャンネル番号が表示される。
【００５６】
プログラム録画１０１と常時録画１０２の欄には、テレビ局毎に、視聴者が、指示入力回路１２（図３）の操作によって、ニ者択一的に選択した録画方法の結果が表示される。例えば所望する録画方法に●印を設定することで、プログラム録画が選択された各放送局の番組は前記可変チャンネル放送受信・記録ブロック（１）２〜同（ｎ）３の何れかに録画され、常時録画が選択された各放送局の番組は、前記固定チャンネル放送受信・記録ブロック（１）４〜同（ｍ）５の何れかに録画される。
【００５７】
図５に示す選択例では、ＡＢＣテレビ、ＤＥＦテレビ、ＧＨＩ放送、ＪＫＬテレビ及びＳＴＵテレビが固定チャンネル放送受信・記録ブロックを用いて常時録画するチャンネルとして設定され、またＭＮＯテレビとＰＱＲ放送が可変チャンネル放送受信・記録ブロックを用いたプログラム録画、即ち予約録画されるチャンネルとして設定されている。また視聴者は、その設定を「決定」ボタン１０７の選択クリックによって確定させ、この一覧表を終了させる為に「戻る」ボタン１０６を選択クリックする。
【００５８】
図６に示す画面表示１１０では、表示された録画設定一覧表において、放送局名１０４の欄に表示された各放送局に対応して、チャンネル番号１０３の欄に各チャンネル番号が表示されると共に、各放送局の番組が放送時間帯に対応して表示される。６時台１１１、７時台１１２、８時台１１３、９時台１１４の各チャンネルの番組タイトル１１１ａ〜１１１ｇ、１１２ａ〜１１２ｇ、１１３ａ〜１１３ｇ、１１４ａ〜１１４ｄ、１１４ｆ〜１１４ｇは、ＥＰＧ情報部１５ｃに蓄えられているＥＰＧデータから抽出され、番組録画装置５１が設置されている地域で放送されている全ての放送局の番組が表される。その他のプログラム録画１０１及び常時録画１０２の欄、「決定」ボタン１０７、「戻る」ボタン１０６等については図５と同様である。
【００５９】
図６に示す表示例の場合、番組タイトルを表示したことによって、視聴者がプログラム録画１０１の欄と常時録画１０２の欄に、どちらかの記録方法を選択設定する際に、前記した図５の表示例の場合より容易に行えるようになっている。例えば、ＭＮＯテレビ及びＳＴＵテレビには、それぞれＤＥＦ放送及びＡＢＣテレビと重複する番組が存在している事から、これ等の放送局が可変チャンネル放送受信・記録ブロックを用いてプログラム録画されるチャンネルとして設定されるべきであることがわかる。
【００６０】
これらの表示例によれば、前記した実施の形態１での基本動作（ｃ）に示した項目と相俟って、視聴者は、本番組録画装置５１の内部にある個々の前記可変チャンネル放送受信・記録ブロック（１）２〜同（ｎ）３、及び前記固定チャンネル放送受信・記録ブロック（１）４〜同（ｍ）５を意識すること無くプログラム録画と常時録画の設定を行う事が出来る。即ち、視聴者が、図５、図６に示す画面表示例に従って、プログラム録画と常時録画のチャンネルを設定すれば、制御回路５２は、先ず常時録画に設定されたチャンネルを録画する機能をブロックに割り当て、次に残るブロックに、プログラム録画に設定されたチャンネルを録画する機能を割り当てる。プログラム録画は、視聴者の予約・録画設定に基づいて少ないブロックで効率良く録画するように制御される。
【００６１】
また、プログラム録画が設定されたチャンネルについては、例えば既に公知である技術として、ＥＰＧデータから番組のキーワードを抽出して活用すると言ったものを用いる事により、視聴者の嗜好に合った番組を選択し録画する事ができ、前記した基本動作（ｄ）を達成することができる。
【００６２】
図７は、本実施の形態２の番組録画装置５１（図３）において、視聴者が前記各可変チャンネル放送受信・記録ブロック（１）２〜同（ｎ）３を用いて番組録画しようとする時、前記警告情報発生部６３（図４）が、その番組の持つＥＰＧデータと前記固定チャンネル選局情報部１５ａに蓄えられているチャンネルデータに基づく番組のＥＰＧデータとが一致していないかを確認し、一致している場合は重複していると判断して警告情報を発生する処理例を示すフローチャートである。
【００６３】
まず、この処理がスタートすると（Ｓ（ＳＴＥＰ）１０１）、ＥＰＧデータ制御部３７（図４）は、ＥＰＧ情報部１５ｃに蓄えられている各放送局のＥＰＧデータを呼び出す（Ｓ１０２）。この中から可変チャンネル放送受信・記録ブロック（１）２〜同（ｎ）３を用いてプログラム録画されるように設定されたチャンネルについて、視聴者が指示入力回路１２から所望する番組を選択する（Ｓ１０３）。
【００６４】
固定チャンネル選局データ設定制御部３６は、ＥＰＧ情報部１５ｃに蓄えられている各放送局のＥＰＧデータから、固定チャンネル選局情報部１５ａに格納されている常時録画用に設定されたチャンネルに対応するＥＰＧデータを抽出する（Ｓ１０４）。警告情報発生部６３は、これら２つのＥＰＧデータを比較し（Ｓ１０５）、一致する場合は警告情報発生部６３から視聴者に録画設定の確認を促すための情報を発生し（Ｓ１０６）、一致しなかった時は、その番組のＥＰＧデータが前記可変チャンネル選局データ設定制御部３５によって前記番組予約情報部１５ｂに格納されてフローを終了する（Ｓ１０７，Ｓ１０８）。
【００６５】
以上のように、このフローを実行することによって、前記した基本動作（ｅ）を実施することができる。
【００６６】
図８は、本実施の形態２の番組録画装置５１（図３）において、各固定チャンネル放送受信・記録ブロック（１）４〜同（ｍ）５での常時録画が、各テレビ信号検知部２３ｂ（１）〜同（ｍ）２４ｂによる放送信号の終了または中断の検知により、中止される処理例を示すフローチャートである。
【００６７】
まず、この処理がスタートすると（Ｓ２０１）、各固定チャンネル放送受信・記録ブロック（１）４〜同（ｍ）５にて固定チャンネルの常時録画を行う為に、固定チャンネル選局データ設定制御部３６（図４）が固定チャンネル選局情報部１５ａからチャンネルデータを呼び出す（Ｓ２０２）。このデータは各固定チャンネル選局データ出力部２３ａ（１）〜同（ｍ）２４ａを介して各固定チャンネル放送受信・記録ブロック（１）４〜同（ｍ）５にセットされる（Ｓ２０３）。
【００６８】
各固定チャンネル放送受信・記録ブロック（１）４〜同（ｍ）５から出力される番組データは、各テレビ信号検知部２３ｂ（１）〜同（ｍ）２４ｂに供給され、各テレビ信号検知部２３ｂ（１）〜同（ｍ）２４ｂでは、この番組データを読み出すことによってテレビ信号の検出を行う（Ｓ２０４，Ｓ２０５）。ここでテレビ信号が検出された時、番組データ記録／再生部制御部３３、及び各番組データ記録／再生部（１）４ｃ〜同（ｍ）５ｃの各蓄積／再生部８（番組データ蓄積／再生部５５に集約されている）に働きかけて番組データ記録（録画）を継続し（Ｓ２０６）、テレビ信号が検出されなかった時、同部分に働きかけて番組データ記録（録画）を中止してフローを終了する（Ｓ２０７，Ｓ２０８）。
【００６９】
以上のように、このフローを実行することによって、前記した基本動作（ｆ）を実施することができる。
【００７０】
以上のように、実施の形態２の番組録画装置５１によれば、本装置が設置される地域で放送されているチャンネルを幅広く録画することにより、前記視聴者の番組視聴要求（１）〜（４）を満足する番組録画装置を提供できる外に、
・可変チャンネル放送受信・記録ブロックと固定チャンネル放送受信・記録ブロックの設定を一覧表にて容易に行えるようにした。
・可変チャンネル放送受信・記録ブロックでの予約録画において、重複無く録画設定が行える手段を講じた。
・番組データ蓄積・再生部を分離独立させて集約し、回路の合理化を図った。
・通信回路網を活用したＥＰＧ取得によって各チャンネル放送受信・記録ブロックおよびＥＰＧデータ入力選択および生成部への負担を軽減し、データ取得の効率化を図った。
・固定チャンネル放送受信・記録ブロックでの常時録画は、その放送信号の終了、または中断を検知して中止され、蓄積・再生部の記録領域の節減を図る事が出来るようにした。
これ等によって、上記番組視聴要求（１）〜（４）に対する対応で付随的に生じてしまう回路の複雑化、高価格化の問題点を軽減することが可能となる。
【００７１】
【発明の効果】
本発明番組録画装置によれば、本装置が設置される地域で放送されているチャンネルを幅広く継続的に記録することが出来るだけでなく、付随的に発生するシステムの複雑化、高価格化の問題点を、固定チャンネル放送受信・記録ブロックと、可変チャンネル放送受信・記録ブロックを任意に必要な数だけ効率的に組み合わせ、且つ番組を重複無く録画する機能を有する事により解消する事が可能となる。
【図面の簡単な説明】
【図１】本発明による実施の形態１の番組録画装置１の構成を示すブロック図である。
【図２】（ａ）は番組録画装置１の指示入力回路１２、制御回路１３及び制御情報記録回路１５の内部構成を示すブロック図であり、（ｂ）は番組データ記録／再生部（ｎ）３ｃの内部構成を示すブロック図である。
【図３】本発明による実施の形態２の番組録画装置５１の構成を示すブロック図である。
【図４】（ａ）は番組録画装置５１の指示入力回路１２、制御回路５２及び制御情報記録回路１５の内部構成を示すブロック図であり、（ｂ）は番組データ記録／再生部（ｎ）３ｃの内部構成を示すブロック図である。
【図５】実施の形態２の番組録画装置５１において、テレビ（モニター）５７に表示される録画設定一覧表の一例を示している。
【図６】実施の形態２の番組録画装置５１において、テレビ（モニター）５７に表示される録画設定一覧表の他の例を示している。
【図７】本実施の形態２の番組録画装置５１において、視聴者が前記各可変チャンネル放送受信・記録ブロック（１）２警告情報を発生する過程を示すフローチャートである。
【図８】本実施の形態２の番組録画装置５１における時録画が、放送信号の終了または中断の検知により、中止される過程を示すフローチャートである。
【符号の説明】
１  番組録画装置、  ２，３  可変チャンネル放送受信・記録ブロック、  ２ａ  アンテナ（１）、  ３ａ  アンテナ（ｎ）、  ２ｂ  可変チャンネル放送受信回路（１）、  ３ｂ  可変チャンネル放送受信回路（ｎ）、  ２ｃ  番組データ記録／再生部（１）、  ３ｃ  番組データ記録／再生部（ｎ）、  ４，５  固定チャンネル放送受信・記録ブロック、  ４ａ  アンテナ（１）、  ５ａ  アンテナ（ｍ）、  ４ｂ  固定チャンネル放送受信回路（１）、  ５ｂ  固定チャンネル放送受信回路（ｍ）、  ４ｃ番組データ記録／再生部（１）、  ５ｃ  番組データ記録／再生部（ｍ）、  ７  エンコーダ部（ｎ）、  ８  蓄積／再生部（ｎ）、  ９  データバス、  １１  映像・音声ストリーム出力装置、  １２  指示入力回路、  １２ａ  コントロールパネル、  １３  制御回路、  １５  制御情報記録回路、  １５ａ  固定チャンネル選局情報部、  １５ｂ  番組予約情報部、  １５ｃ  ＥＰＧ情報部、  １７  音声ストリーム出力Ｉ／Ｆ、  １８  アクセス・ポイント、  ２１ａ  可変チャンネル選局データ出力部（１）、  ２２ａ  可変チャンネル選局データ出力部（ｎ）、  ２３ａ  固定チャンネル選局データ出力部（１）、  ２４ａ  固定チャンネル選局データ出力部（ｍ）、  ２１ｂ  テレビ信号検知部（１）、  ２２ｂ  テレビ信号検知部（ｎ）、  ２３ｂ  テレビ信号検知部（１）、  ２４ｂ  テレビ信号検知部（ｍ）、  ２６  ＥＰＧデータ入力選択及び生成部、  ３１  指示入力処理部、  ３２  時計部、  ３３  番組データ記録／再生部制御部、  ３５  可変チャンネル選局データ設定制御部、  ３６  固定チャンネル選局データ設定制御部、  ３７  ＥＰＧデータ制御部、  ５１  番組録画装置、  ５２  制御部、  ５３  通信制御回路、  ５４  通信回路網、  ５５  番組データ蓄積／再生部、  ５６  （映像・音声デコーダ＋映像・音声出力）装置、  ５７  テレビ（モニター）、  ５８  信号ライン、  ６１  ＥＰＧデータ生成部、  ６２  チャンネル一覧リスト生成部、  ６３  警告情報発生部。
【図１】
2004282413.tif 000003
【図２】
2004282413.tif 000004
【図３】
2004282413.tif 000005
【図４】
2004282413.tif 000006
【図５】
2004282413.tif 000007
【図６】
2004282413.tif 000008
【図７】
2004282413.tif 000009
【図８】
2004282413.tif 000010